【手続補正書】
【提出日】平成16年2月19日(2004.2.19)
【手続補正１】
【補正対象書類名】明細書
【補正対象項目名】発明の名称
【補正方法】変更
【補正の内容】
【発明の名称】受信信号の復調方法及び無線通信装置


【手続補正２】
【補正対象書類名】明細書
【補正対象項目名】特許請求の範囲
【補正方法】変更
【補正の内容】
【特許請求の範囲】
【請求項１】
時系列的に入力される受信信号のＩ成分Ｄｉ(ｔ)とＱ成分Ｄｑ(ｔ)を拡散符号のＩ成分ＣｉとＱ成分Ｃｑでチップ毎に逆拡散することによって、それぞれ受信信号と拡散符号との異なる組み合わせに対応した複数系列の逆拡散結果を上記各チップ毎に生成し、上記複数系列の逆拡散結果を所定の組み合わせで演算することによって、受信信号のＩ成分とＱ成分の復調値を上記各チップ毎に生成し、上記Ｉ成分およびＱ成分のチップ毎の復調値をそれぞれの拡散符号のチップシーケンスに従って巡回的に累算することを特徴とする符号拡散された受信信号の復調方法。
【請求項２】
前記受信信号のＩ成分Ｄｉ(ｔ)、Ｑ成分Ｄｑ(ｔ)の逆拡散に適用される拡散符号のＩ成分ＣｉとＱ成分Ｃｑの各チップの係数値を所定周期で順次に更新し、前記Ｉ成分およびＱ成分のチップ毎の復調値を少なくとも１シンボル期間にわたって巡回的に累算することを特徴とする請求項１に記載の受信信号の復調方法。
【請求項３】
前記受信信号のＩ成分Ｄｉ(ｔ)とＱ成分Ｄｑ(ｔ)をそれぞれオーバーサンプリングして供給し、各チップ期間に前記Ｉ成分とＱ成分の復調値を複数回生成することを特徴とする請求項１に記載の受信信号の復調方法。
【請求項４】
前記受信信号は、ＱＰＳＫ変調方式で変調されて送信された信号であることを特徴とする受信信号変調方式。
【請求項５】
拡散符号のＩ成分Ｃｉの少なくとも一部のチップ列と、Ｑ成分Ｃｑの少なくとも一部のチップ列とを保持しておき、上記保持された各チップ列と、それぞれ時系列的に入力される受信信号のＩ成分Ｄｉ(ｔ)およびＱ成分Ｄｑ(ｔ)を演算し、上記拡散符号のチップ毎に、乗算結果ＤｑＣｉ(ｔ)、ＤｉＣｉ(ｔ)、ＤｑＣｑ(ｔ)、ＤｉＣｑ(ｔ)を生成するステップと、
上記拡散符号のチップ毎に、上記ＤｉＣｉ(ｔ)とＤｑＣｑ(ｔ)と加算することによって、受信信号のＩ成分の部分値を生成し、上記ＤｑＣｉ(ｔ)からＤｉＣｑ(ｔ)を減算することによって、受信信号のＱ成分の部分値を生成するステップと、
上記Ｉ成分の部分値とＱ成分の部分値をそれぞれの拡散符号チップ列のシーケンス順に巡回的に累算するステップとからなることを特徴とする符号拡散された受信信号の復調方法。
【請求項６】
時系列的に入力される受信信号のＩ成分Ｄｉ(ｔ)とＱ成分Ｄｑ(ｔ)を拡散符号のＩ成分ＣｉとＱ成分Ｃｑでチップ毎に逆拡散することによって、それぞれ受信信号と拡散符号との異なる組み合わせに対応した複数系列の逆拡散結果を上記各チップ毎に生成するための手段と、
上記複数系列の逆拡散結果を所定の組み合わせで演算することによって、上記各チップ毎に、受信信号のＩ成分復調値とＱ成分復調値とを生成するたの手段と、
チップ毎に生成された上記Ｉ成分復調値とＱ成分復調値をそれぞれの拡散符号チップシーケンスに従って巡回的に累算するための手段とからなる符号拡散変調用の逆拡散器を備えたことを特徴とする無線通信装置。
【請求項７】
請求項６記載の無線通信装置であって、上記受信信号はＱＰＳＫ変調方式によって変調されて送信される信号であることを特徴とする無線通信装置。
【請求項８】
拡散符号発生器と、変調された受信信号を上記拡散符号発生器から発生した拡散符号で逆拡散して送信信号を復調するための受信回路と、上記拡散符号発生器からの拡散符号の発生を上記受信信号に同期させるための同期捕捉回路とを有する無線通信装置において、
上記同期捕捉回路が、最終段の出力を初段に戻すように循環的に縦続接続された複数段のマッチドフィルタからなり、上記各マッチドフィルタが、
時系列的に入力される受信信号のＩ成分Ｄｉ(ｔ)とＱ成分Ｄｑ(ｔ)に、Ｉ成分用およびＱ成分用の拡散符号における特定チップ位置の拡散符号Ｃｉ、Ｃｑを乗算し、演算結果ＤｑＣｉ(ｔ)、ＤｉＣｉ(ｔ)、ＤｑＣｑ(ｔ)およびＤｉＣｑ(ｔ)を並列的に生成するための手段と、
上記演算結果ＤｉＣｉ(ｔ)とＤｑＣｑ(ｔ)とから受信信号のＩ成分に相当する部分復調値を生成し、上記ＤｑＣｉ(ｔ)とＤｉＣｑ(ｔ)とから受信信号のＱ成分に相当する部分復調値を生成するための手段と、
上記Ｉ成分およびＱ成分の部分復調値を前段または最終段のマッチドフィルタから供給されるＩ成分およびＱ成分の累算復調値とそれぞれ加算し、加算結果を次段または初段のマッチドフィルタにＩ成分およびＱ成分の累算復調値として供給するための手段とからなることを特徴とする無線通信装置。
【請求項９】
請求項８記載の無線通信装置であって、上記受信信号はＱＰＳＫ変調方式によって変調されて送信される信号であることを特徴とする無線通信装置。
【請求項１０】
送信信号の拡散符号のＩ成分ＣｉとＱ成分Ｃｑを発生するための拡散符号発生器と、受信信号を上記拡散符号発生器から発生した拡散符号のＩ成分Ｃｉ、Ｑ成分Ｃｑで逆拡散して送信信号を復調する受信回路と、上記拡散符号発生器からの拡散符号のＩ成分Ｃｉ、のＱ成分Ｃｑの発生を上記受信信号に同期させるための同期捕捉回路とを有する無線通信装置において、上記同期捕捉回路が、
上記拡散符号発生器から供給される拡散符号のＩ成分Ｃｉの少なくとも一部のチップ列を保持する第１のレジスタ回路と、上記拡散符号発生器から供給される拡散符号のＱ成分Ｃｑの少なくとも一部のチップ列とを保持する第２のレジスタ回路と、
上記保持された拡散符号のＩ成分Ｃｉ、のＱ成分Ｃｑの各チップ列と、それぞれ時系列的に入力される受信信号のＩ成分Ｄｉ(ｔ)およびＱ成分Ｄｑ(ｔ)とを乗算し、上記拡散符号のチップ毎に、乗算結果ＤｑＣｉ(ｔ)、ＤｉＣｉ(ｔ)、ＤｑＣｑ(ｔ)およびＤｉＣｑ(ｔ)を生成する複数の乗算器群と、
上記拡散符号のチップ毎に、上記ＤｉＣｉ(ｔ)とＤｑＣｑ(ｔ)とを加算することによって受信信号のＩ成分の部分復調値を生成し、各部分復調値を拡散符号チップ列のシーケンス順に巡回的に累算する第１の巡回累算回路と、
上記拡散符号のチップ毎に、上記ＤｑＣｉ(ｔ)からＤｉＣｑ(ｔ)を減算することによって受信信号のＱ成分の部分復調値を生成し、各部分復調値を拡散符号チップ列のシーケンス順に巡回的に累算する第２の巡回累算回路とからなることを特徴とする無線通信装置。
【請求項１１】
前記第１、第２のレジスタ回路が、それぞれチップシーケンス順に配置された複数のレジスタ領域と、前記拡散符号発生器から供給される拡散符号ＣｉまたはＣｑを上記各レジスタ領域にチップ単位で順次に格納するラッチ信号供給回路とからなり、
前記各乗算器群が、それぞれ上記第１、第２のレジスタ回路のレジスタ領域数と対応した複数個の乗算器からなり、上記各乗算器は、上記レジスタ領域に保持された拡散符号と前記Ｉ成分受信信号Ｄｉ(ｔ)またはＱ成分受信信号Ｄｑ(ｔ)との乗算結果を時系列的に出力することを特徴とする請求項１０に記載の無線通信装置。
【請求項１２】
前記第１、第２の巡回累算回路が、前記各乗算器群の複数の乗算器と対応した複数の加算器または減算器と、上記各加算器または減算器の演算結果を一時的に保持した後、次段の加算器または減算器に供給する複数のレジスタとからなり、最終段にレジスタは、該レジスタの出力を外部回路、または初段の加算器または減算器に選択的に転送するための切り替えスイッチを備えることを特徴する請求項１１に記載の無線通信装置。
【請求項１３】
前記第１、第２の巡回累算回路を構成する各レジスタが、複数の記憶領域と、データの書き込みと読み出しを行うべき記憶領域を循環的に選択するための手段からなり、上記各記憶領域に書き込まれた前記加算器または減算器の演算結果が、所定時間後に読み出されて次段の加算器または減算器に出力されることを特徴する請求項１２に記載の無線通信装置。